(57)【要約】【課題】顔料粒子がレーザー光を吸収し、顔料周辺の樹脂が炭化すると同時に顔料自体が黒色に発色するレーザーマーキング用顔料を応用採用し、統一された同質のレーザー光線を照射することで、スライドガラスマーキング装置と包埋カセットマーキング装置とを、双方の機能を持つ１台のレーザー光プリンターとして統合する。【解決手段】スライドガラスマーキング装置及び包埋カセットマーキング装置併用のマーキング装置に使用されるマーキングスライドガラスは、塗料が、含有量で、三酸化ビスマス９８〜９９％、三酸化ネオジム０．３〜１．０％からなる酸化金属顔料粒子と、基礎ポリマーとしての樹脂とからなり、酸化金属顔料粒子の塗料に占める添加量が、含有量で、２０〜４０％で構成される。【選択図】図１
2018069581.tif 000002
【特許請求の範囲】
【請求項１】
装置本体が、レーザー光の光源、装置本体の上部階層が、箱体内に固定されたレーザー光照射手段を内蔵し、下部階層が、上方に開放された空間部を備え、その空間部にスライドガラスマーキング装置を収納し、
スライドガラスマーキング装置が、マーキングスライドガラスを載置するスライドガラス印字ステージ手段を有し、マーキングスライドガラスが平面状の印字面を有し、印字面がレーザー光照射手段からのレーザー光を直角に受光するように配置され、
印字面に、レーザー光照射手段からのレーザー光が走査照射されマーキングがなされるマーキングガラスであって、
塗料が、含有量で、三酸化ビスマス９８〜９９％、三酸化ネオジム０．３〜１．０％からなる酸化金属顔料粒子と、基礎ポリマーとしての樹脂とからなり、酸化金属顔料粒子の塗料に占める添加量が、含有量で、２０〜４０％とされたことを特徴とするスライドガラスマーキング装置に使用されるマーキングスライドガラス。
【請求項２】
請求項１に記載されたスライドガラスマーキング装置に使用されるマーキングスライドガラスにおいて、酸化金属顔料粒子の添加量が、含有量で、２５〜３５％とされたことを特徴とするスライドガラスマーキング装置に使用されるマーキングスライドガラス。
【請求項３】
請求項１または２に記載されたスライドガラスマーキング装置に使用されるマーキングスライドガラスにおいて、１wのレーザー光が照射されたときに、該マーキングスライドガラス上で、酸化金属顔料粒子がレーザー光を吸収し発熱し粒子周辺の樹脂がその熱により炭化変色し、酸化金属顔料粒子が黒化することを特徴とするスライドガラスマーキング装置に使用されるマーキングスライドガラス。
【発明の詳細な説明】
【技術分野】
【０００１】
本発明は、スライドガラスマーキング装置及び包埋カセットマーキング装置併用のマーキング装置に使用されるマーキングスライドガラスに関する。
【背景技術】
【０００２】
病理検査にスライドガラスマーキング装置及び包埋カセットマーキング装置が用いられる。マーキングスライドガラス及びマーキング包埋カセットに直接印字することで、検体の取り違え防止が図られ、また病理検査のリスクマネジメントの強化が図られてきた。
【０００３】
スライドガラスマーキング装置にあっては、表面にサーマルヘッドを当接する熱転写方式の採用によってマーキングスライドガラスのフロスト部に無機粒子を転写することで任意形状の識別コード、模様あるいは文字をマーキングする。
【０００４】
包埋カセットマーキング装置にあっては、マーキング包埋カセットの印字面にレーザー光線を照射し、レーザー光線の影響下に樹脂を炭化させ、色を変化させることで、印字面に識別コード、模様あるいは文字をマーキングする。
【０００５】
特許文献１には、アンチモンと錫の混合物を共沈で生じた後に焼成させて生じた粉末を添加剤として用い、包埋カセットを構成する樹脂にレーザー光線を照射し、レーザー光線を照射し、エネルギーを吸収させて熱を発生させ、取り巻いている材料に炭化を生じさせることで、取り巻き残りの領域と対照的な黒色あるいは暗色のマーキングを生じさせることが記載されている。
【０００６】
特許文献２には、制御用コンピュータに表示データを取り込み、制御用コンピュータからレーザー走査ユニットに制御信号を出力して、熱可塑性樹脂の成形品であるターゲットに表示を刻印することが記載されている。
【０００７】
特許文献３には、プラスチックスやゴムの成形固体表面に、樹脂に混在させた無機粒子を表面に塗布し、該表面に高エネルギーパルスレーザーの照射を行うマーキング方法が記載されている。
【０００８】
特許文献４には、基礎ポリマー及びレーザー照射時に色彩の変化を示す輻射線感受性添加剤からなるレーザー感受性被膜が形成されることが記載されている。
【０００９】
特許文献５には、三酸化ビスマス１９８．６ｇと三酸化ネオジム０．７ｇを、直径１５ｍｍのアルミナボール２ｋｇの入った内容積２リットルの転動ボールミルに入れ、１２時間粉砕混合を行い、るつぼに詰め、電気炉に入れて８００℃で3時間焼成し、得られた焼成物を転動ボールミルで平均粒子形が２〜３μｍになるまで湿式粉砕し、乾燥して淡黄色のレーザーマーキング用添加物を得たことが記載されている。
【先行技術文献】
【特許文献】
【００１０】
【特許文献１】特許第４４９３０７１号公報
【特許文献２】特開２００５−１７７８５８号公報
【特許文献３】特開平８−１７４２６３号公報
【特許文献４】特開２０００−４４２９３号公報
【特許文献５】特許第５２２７７３３号公報
【発明の概要】
【発明が解決しようとする課題】
【００１１】
従来、上述したようにスライドガラスマーキング装置及び包埋カセットマーキング装置は、レーザーカセットプリンターとして別個の装置として製造され、販売されてきた。スライドガラスマーキング装置には、熱転写方式が採用され、熱転写に適した無機粒子がサーマルヘッドによって暖められ、フロスト部に転写されることで印字される方式が採用されてきた。
【００１２】
包埋カセットマーキング装置では、マーキング包埋カセットを構成する樹脂にレーザー光線で当て、樹脂を炭化して色を変化させることで印字する方式が用いられてきた。
【００１３】
このように双方のマーキング方法には大きな違いあり、スライドガラスマーキング装置及び包埋カセットマーキング装置は、別個独立の装置として製造されてきた。
【００１４】
マーキング包埋カセットを構成する樹脂には十分な熱抵抗があるので、レーザー光を照射したときに樹脂は十分に熱せされ、炭化して変色する。一方、マーキングスライドガラスに、マーキング包埋カセット印字方法を応用することを想定すると、その性質上マーキングスライドガラス上に塗布される樹脂は、極めて薄いされるために照射されたレーザー光のエネルギーはガラス材に逃げ、樹脂は炭化されるまで熱せられない。このため、マーキング包埋カセット印字方法をマーキングスライドガラス印字方法に応用することができなかった。
【００１５】
樹脂に顔料粒子を混在させ、顔料粒子がレーザー光を吸収し、顔料周辺の樹脂が炭化すると同時に顔料自体が黒色に発色するレーザーマーキング用顔料が販売されるようになった。
【００１６】
本願発明者らは、このマーキング用顔料をマーキングスライドガラス印字方法に応用することで、包埋カセットマーキング方法及びスライドガラスマーキング方法の双方に統一された同質のレーザー光線を採用することのできる技術の開発に努めた。その結果、炭化用樹脂の基礎ポリマーに添加するレーザーマーキング用顔料の添加量を工夫することで、スライドガラスマーキング装置及び包埋カセットマーキング装置の双方に、統一したレーザー光線を当て吸収させることで、マーキングスライドガラス及びマーキング包埋カセットの双方に印字できることを見出した。
【００１７】
本発明は、かかる点に鑑み顔料粒子がレーザー光を吸収し、顔料周辺の樹脂が炭化すると同時に顔料自体が黒色に発色するレーザーマーキング用顔料を応用採用し、レーザー光線を照射することで、スライドガラスマーキング装置と包埋カセットマーキング装置とを、双方の機能を持つ１台のレーザー光プリンターとして統合されたときに、あるいはスライドガラスマーキング装置が単独にしようされたときに、レーザー光線を照射することで、マーキングが可能なマーキングスライドガラスを提供することを目的とする。
【課題を解決するための手段】
【００１８】
本発明は、装置本体が、レーザー光の光源、装置本体の上部階層が、箱体内に固定されたレーザー光照射手段を内蔵し、下部階層が、上方に開放された空間部を備え、その空間部にスライドガラスマーキング装置を収納し、
スライドガラスマーキング装置が、マーキングスライドガラスを載置するスライドガラス印字ステージ手段を有し、マーキングスライドガラスが平面状の印字面を有し、印字面がレーザー光照射手段からのレーザー光を直角に受光するように配置され、
印字面に、レーザー光照射手段からのレーザー光が走査照射されマーキングがなされるマーキングガラスであって、
塗料が、含有量で、三酸化ビスマス９８〜９９％、三酸化ネオジム０．３〜１．０％からなる酸化金属顔料粒子と、基礎ポリマーとしての樹脂とからなり、酸化金属顔料粒子の塗料に占める添加量が、含有量で、２０〜４０％とされたことを特徴とするスライドガラスマーキング装置に使用されるマーキングスライドガラスを提供する。
【００１９】
本発明は、上述されたスライドガラスマーキング装置に使用されるマーキングスライドガラスにおいて、酸化金属顔料粒子の添加量が、含有量で、２５〜３５％とされたことを特徴とするスライドガラスマーキング装置に使用されるマーキングスライドガラスを提供する。
【００２０】
本発明は、上述されたスライドガラスマーキング装置に使用されるマーキングスライドガラスにおいて、１wのレーザー光が照射されたときに、該マーキングスライドガラス上で、酸化金属顔料粒子がレーザー光を吸収し発熱し粒子周辺の樹脂がその熱により炭化変色し、酸化金属顔料粒子が黒化することを特徴とするスライドガラスマーキング装置に使用されるマーキングスライドガラスを提供する。
【発明の効果】
【００２１】
本発明によれば、顔料粒子がレーザー光を吸収し、顔料周辺の樹脂が炭化すると同時に顔料自体が黒色に発色するレーザーマーキング用顔料を応用採用し、統一された同質のレーザー光線を照射することで、スライドガラスマーキング装置と包埋カセットマーキング装置とを、双方の機能を持つ１台のレーザー光プリンターとして統合されたときに、あるいはスライドガラスマーキング装置単独で使用されたときに、レーザー光線を照射することで、マーキングが可能なマーキングスライドガラスを提供することができる。
【図面の簡単な説明】
【００２２】
【図１】本発明の実施例に採用されるマーキングガラス及び包埋カセットにマーキングするマーキング装置１００の構成を示す図。
【図２】スライドガラスの構成及び包埋カセットの構成を示す図。
【図３】スライドガラスの印字面及び包埋カセットの印字面の面一状態を示す図。
【図４】スライドガラスマーキング装置２の機器構成を示す図。
【図５】包埋カセットマーキング装置３の機器構成を示す図。
【図６】スライドガラスの切出し動作を説明する図。
【図７】スライドガラスの印字ステージへの滑り動作を説明する図。
【図８】スライドガラスの印字・排出動作を説明する図。
【図９】包埋カセットの切出し動作を説明する図。
【図１０】包埋カセットの印字ステージへの滑り動作を説明する図。
【図１１】包埋カセットの印字・排出動作を説明する図。
【図１２】本発明の実施例であるスライドガラスマーキング装置に採用可能なマーキングスライドガラスの構造を示す図。
【図１３】酸化金属顔料粒子がレーザー光を吸収し発熱し粒子周辺の樹脂がその熱により炭化変色するかどうかを調べた結果を示す図。
【発明を実施するための形態】
【００２３】
以下、本発明の実施の形態を図面に基づいて説明する。
【００２４】
図１〜図１１は、本発明の実施例であるマーキングスライドガラス１０１（以下、マーキングガラス１０１という）が採用されるスライドガラスマーキング装置及び包埋カセットマーキング装置併用のマーキング装置１００の構成を示す図である。
【００２５】
図１２は、本発明の実施例であるマーキングガラス１０１の構成を示す平面図である。
【００２６】
図１３は、酸化金属顔料粒子がレーザー光を吸収し発熱し粒子周辺の樹脂がその熱により炭化変色するかどうかを調べた結果を示す図である。
【００２７】
図１２において、マーキングガラス１０１は、任意形状の識別コード、模様あるいは文字（標本名）を書き込むフロスト部１０２とフロスト部１０２を載置する透明部１０３とからなる。また、マーキングガラス１には、例えばシラン化剤処理を施したシランコーテイングスライドガラスが用いられる。
【００２８】
顔料粒子がレーザー光を吸収し、顔料周辺の樹脂が炭化すると同時に顔料自体が黒色に発色するレーザーマーキング用顔料を応用採用し、統一された同質のレーザー光線を照射することで、スライドガラスマーキング装置と包埋カセットマーキング装置とを、双方の機能を持つ１台のレーザー光プリンターとして統合されたときに、あるいはスライドガラスマーキング装置単独で使用されたときに、レーザー光線を照射することで、マーキングが可能なマーキングスライドガラスを提供する
また、本実施例の１例であるマーキングガラス１０１は、装置本体が、レーザー光の光源、レーザー発振手段及び制御手段を含むレーザー光照射手段を備え、上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納するマーキング装置の専用スライドガラスとして使用される。
【００２９】
マーキング装置については、その詳細を後述するが、基本的に、装置本体が、レーザー光の光源、装置本体の上部階層が、箱体内に固定されたレーザー光照射手段を内蔵し、下部階層が、上方に開放された空間部を備え、その空間部にスライドガラスマーキング装置及び包埋カセットマーキング装置を個別に収納可能で、マーキング時いずれかを収納し、
収納状態で、
スライドガラスマーキング装置が、マーキングスライドガラスを載置するスライドガラス印字ステージ手段を有し、マーキングスライドガラスが平面状の印字面を有し、印字面がレーザー光照射手段からのレーザー光を直角に受光するように配置され、
包埋カセットマーキング装置が、マーキング包埋カセットが平面に対して傾斜方向、もしくは傾斜方向及び直角方向に角度を持った印字面を有し、印字面がレーザー光照射手段からのレーザー光を直角に受光するように配置され、双方の印字面に、同質のレーザー光照射手段からのレーザー光が走査照射されマーキングがなされるようにした構成とされる。
【００３０】
本実施例のマーキングガラス１は、塗料が、含有量で、三酸化ビスマス９８〜９９％、三酸化ネオジム０．３〜１．０％からなる酸化金属顔料粒子と、基礎ポリマーとしての樹脂とからなり、酸化金属顔料粒子の塗料に占める添加量が、含有量で、２０〜４０％混合されたことを特徴としてスライドガラスマーキング装置及び包埋カセットマーキング装置併用のマーキング装置のスライドガラスマーキング装置に使用される。
【００３１】
また、酸化金属顔料粒子の添加量が、含有量で、２５〜３５％混合されたことを特徴としてスライドガラスマーキング装置に使用される。
【００３２】
１wのレーザー光が照射されたときに、該マーキングスライドガラス上で、酸化金属顔料粒子がレーザー光を吸収し発熱し粒子周辺の樹脂がその熱により炭化変色し、酸化金属顔料粒子が黒化することを特徴としたマーキングスライドガラスが構成される。
【００３３】
本実施例のマーキングガラス１０１ｍの透明部１０３上に形成されるフロスト部１０２は、例えば８〜２０μｍ、望ましくは８〜１４μｍにされ、通常１０μｍとされる。
【００３４】
基礎ポリマーは、ポリエステル、エポキシ、ポリエステル及びウレタンアクリレートが採用可能であり、好ましくはポリウレタンアクリレートからなる群から選択される。その他の樹脂であってもよい。
【００３５】
基礎ポリマーには、着色用顔料、光線安定剤、熱安定剤又は加工補助材が混合されてよい。
【００３６】
図１〜図１１によって、マーキングガラス及びマーキング包埋カセット（以下、包埋カセットという）にマーキングするマーキング装置１００について説明する。
【００３７】
図１は、本発明の実施例であるマーキングガラス及び包埋カセットにマーキングするマーキング装置１００の構成を示す図である。このマーキング装置１００は、制御用コンピュータに表示データを取り込み、制御用コンピュータからレーザー走査ユニットに制御信号を出力して、スライドガラス及び熱可塑性樹脂の成形品であるターゲットに表示を刻印することができる。以下、説明する。
【００３８】
図１において、マーキングガラス及び包埋カセットにマーキングするマーキング装置１００（マーキング装置１００という）は、装置本体１、スライドガラスマーキング装置２及び包埋カセットマーキング装置３から構成される。マーキング装置１００は、レーザー光の光源及びレーザー光照射手段を備えて、レーザー光照射手段からのレーザー光でマーキングガラス及び包埋カセットにマーキングする装置である。
【００３９】
装置本体１は、２段の箱体形態の上下階層１Ａ，１Ｂからなり、レーザー光の光源、レーザー発振手段及び制御手段を含むレーザー光照射手段２を備える。上部階層１Ａが、箱体内に固定されたレーザー光照射手段２を内蔵し、下部階層１Ｂが、上方に開放された空間部３及び底部４を備える。
【００４０】
装置本体１は、その空間部３にスライドガラスマーキング装置２及び包埋カセットマーキング装置３を個別に収納可能で、マーキング時、それらのいずれかの装置を収納可能である。各装置のサイズを例示すれば、図に示したような数値となる。
【００４１】
装置本体１が、スライドガラスマーキング装置２を収納したときに、マーキング装置１００は、スライドガラスレーザーマーカー１０１となり、包埋カセットマーキング装置３を収納したときに、マーキング装置１００は、包埋カセットレーザーマーカー１０２となる。
【００４２】
スライドガラスマーキング装置２は、スライドガラスを収納する１００枚収納ケース及び印字後にストックするスライドガラスストッカーを備える。
【００４３】
包埋カセットマーキング装置３は、包埋カセットを収納する収納ケース及び印字後にストックする包埋カセット整列ユニットを備える。
【００４４】
図２は、スライドガラスを収納する１００枚収納ケースに収納されるスライドガラス２０及び包埋カセット整列ユニットに収納される包埋カセット３０を示す。スライドガラス２０は、その水平上面の一部に印字用の塗装面２０Ａを有する。
【００４５】
包埋カセット３０には、２つのタイプがある。その一つは、４５度タイプと呼ばれるもので、印字面３０Ａが包埋カセット本体に対して４５度方向とされた印字面３０Ａを有し、他の一つは、スクエアタイプと呼ばれるもので、包埋カセット本体に対して直角をなす印字面３０Ｂを有する。４５°タイプのもので、印字面３０Ａに加えて、側面の直角面３０Cにも印字する場合がある。マーキング包埋カセットが傾斜方向、もしくは傾斜方向及び水平方向から直角に角度を持った印字面を有する。
【００４６】
図３は、スライドガラスの印字面及び包埋カセットの印字面の面一状態を示す図である。
【００４７】
装置本体２が、その空間部３にスライドガラスマーキング装置２及び包埋カセットマーキング装置３を個別に収納したときに、いずれの印字面についても印字高さが基準面から一致されることを示す。基準面しては、底面がその一つに挙げられる。
【００４８】
図４は、スライドガラスマーキング装置２の機器構成を示す図である。
【００４９】
図４において、スライドガラスマーキング装置２は、スライドガラスを収納する１００枚収納ケースＡ（１７）、スライドガラスを収納する１００枚収納ケースＢ（１８）を収納可能とされ、スライドガラスマーキング装置本体２１、印字ステージ２２、マーキングスライドガラス用スロープ部を形成する切り出しスロープ２３、スライドガラス印字ステージ手段から排出する排出手段を形成する排出スロープ２４、及び二つのモーターＡ，Ｂ（２５，２６）から構成され、スライドガラスマーキング装置本体２１は、上方端部にスライドガラス２０の配置方向に向いた切出しツメＡ，Ｂ（２７，２８）を持つ。モーターＡ（２５）は、切出しスロープ２３を傾動動作させることができ、モーターＢ（２６）は、印字ステージ２２を回転動作させることができる。
【００５０】
このように、スライドガラスマーキング装置は、多数のマーキングスライドガラスを収納するスライドガラス収納手段、マーキングスライドガラスを一枚ごろに切り出す切り出し手段、マーキングスライドガラスを載置するスライドガラス印字ステージ手段、及び傾斜されたマーキングスライドガラス用スロープ部を有してマーキングスライドガラスをスライドガラス印字ステージ手段に滑らせ、セットするスライドガラスセット手段、及び他のマーキングスライドガラス用スロープ部を有して印字されたスライドガラスをスライドガラス印字ステージ手段から排出する排出手段を有し、マーキングスライドガラスが水平方向に形成された印字面を有し、スライドガラス印字ステージ手段が、少なくともスライドガラス用スロープ部の傾斜角度から水平角度の範囲で回転可能とされて形成され、装置本体の空間部に収納可能とされ、スライドガラス印字ステージ手段に載置されたスライドガラスに形成された印字面が基準面から同一高さでレーザー光照射手段からのレーザー光を直角に受光するように配置される。スライドガラス印字ステージ手段が、マーキングスライドガラスを上述した回転方向に対して直角方向にも回転させるようにすることができる。これによって、図２における印刷面３０ｃにおけるマーキングが可能とされる。
【００５１】
また、スライドガラスマーキング装置２は、収納状態で、マーキングスライドガラスを載置するスライドガラス印字ステージ手段を有し、マーキングスライドガラスが水平方向に形成された印字面を有し、スライドガラス印字ステージ手段が水平角度まで回転可能とされ、装置本体の空間部に収納可能とされ、スライドガラス印字ステージ手段に載置されたスライドガラスに形成された印字面がレーザー光照射手段からのレーザー光を直角に受光するように配置される。
【００５２】
図５は、包埋カセットマーキング装置３の機器構成を示す図である。
【００５３】
図５において、包埋カセットマーキング装置３は、包埋カセットを収納する包埋カセット収納ケース１９が収納可能とされ、包埋カセットマーキング装置本体３１、印字ステージ３２、包埋カセット用スロープ部を形成する切り出しスロープ３３、包埋カセット印字ステージ手段から排出する排出手段を形成するプシュソレノイド３４Ａ及び排出穴３４Ｂ、及び二つモーターＡ，Ｂ（３５、３６）から構成される。
【００５４】
スライドガラスマーキング装置本体３１は、上方端部に包埋カセット３０の配置方向に向いた切出しツメ３７を持つ。印字ステージ３２は、外端にストッパー３８を備える。モーターＡ（３５）は、切出しスロープ３３を動作させることができ、モーターＢ（３６）は、印字ステージ３２を回転動作させることができる。
【００５５】
包埋カセットマーキング装置３は、多数のマーキング包埋カセットを収納するマーキング包埋カセット収納手段、マーキング包埋カセットを一枚ごとに切り出す切り出し手段、マーキング包埋カセットを載置するカセット印字ステージ手段、及び傾斜されたマーキング包埋カセット用スロープ部を有してマーキング包埋カセットをマーキング包埋カセット印字ステージ部に滑らせ、セットするマーキング包埋カセット手段、及び他のマーキング包埋カセット用スロープ部を有して印字されたマーキング包埋カセットをマーキング包埋カセット手段から排出する排出手段を有し、マーキング包埋カセットが傾斜方向、もしくは傾斜方向および水平方向に角度を持った印字面を有し、マーキング包埋カセット印字ステージ手段がカセット用切り出しスロープ部の傾斜角度から水平角度、更にマーキング包埋カセットのマーキング面形成角度の範囲で回転可能とされて形成されて、レーザー本体の空間部に収納可能とされ、マーキング包埋カセットス印字ステージ部に載置されたマーキング包埋カセットに形成された印字面がレーザー光発振手段からのレーザー光を直角に受光するように配置される。
【００５６】
このように、包埋カセットマーキング装置３は、収納状態で、マーキング包埋カセットを載置するカセット印字ステージ手段を有し、マーキング包埋カセットが傾斜方向、もしくは傾斜方向および水平方向から直角方向に角度を持った印字面を有し、マーキング包埋カセット印字ステージ手段が水平角度、更にマーキング包埋カセットのマーキング面形成角度まで回転可能とされて形成されて、装置本体の空間部に収納可能とされ、マーキング包埋カセットス印字ステージ部に載置されたマーキング包埋カセットに形成された印字面がレーザー光照射手段からのレーザー光を受光するように配置される。
【００５７】
同質の低エネルギー、例えば１Wのレーザー光線で色を変化させる方法を採用し、スライドガラスマーキング装置と包埋カセットマーキング装置とを、レーザーカセットプリンターとして一体の装置として機能させる。
【００５８】
図６〜図８は、スライドガラスマーキング装置２の動作を説明する図である。
【００５９】
図６は、スライドガラスの切出し動作を説明する図である。
【００６０】
図６において、  ・スライドガラス２０が一枚だけ引っ掛かる高さの切出しツメＡ，Ｂ（２５，２６）で、一番下のスライドガラス一枚のみを切り出す。
【００６１】
・切出しツメＡ（２８）は、モーターＡ（２５）によりラックピニオンで動かす。切出しツメＢ（２６）についても同様に動かす。
・スライドガラス１００枚収納ケースＡ（１７）及びスライドガラス１００枚収納ケースＢ（１８）は、左右対称の構成、配置とされる。
スライドガラス２０は、２カ所（スライドガラス１００枚収納ケースＡ、Ｂの位置）にセットし、中央の切出しスロープへ切り出す。これによって、スライドガラス１００枚収納ケースＡ（１７）及びスライドガラス１００枚収納ケースＢ（１８）からの切り出し２９がなされる。なお、スライドガラス１００枚収納ケースは、一方のみの設置であってもよい。
【００６２】
図７は、スライドガラスの印字ステージへの滑り動作を説明する図である。なお、モーターＢ（３６）の位置を作図の都合で変更してある。
【００６３】
図５において、（１）上述したように切り出されたスライドガラス２０が、切出しスロープ２３上で重力により傾き、滑り出す。
【００６４】
（２）滑りによりスライドガラス２０は、印字ステージ２２の所定の位置にセットされる。
【００６５】
図８は、スライドガラスの印字・排出動作を説明する図である。
【００６６】
図８において、・（１）ガラス受け位置でスライドガラスを受け、印字ステージ２２へスライドガラス２０がセットされた後、モーターＢ（２６）で印字ステージ２２を水平に傾けて、（２）印字位置に固定し、スライドガラスの所定の印字箇所へレーザー光を照射して印字２９を行う。
【００６７】
印字後、さらにモーターＢ（２６）で印字ステージ２２を回転、傾け、（２）排出位置で、排出スロープ２４からスライドガラス２０の排出を行う。
【００６８】
図９〜図１１は、包埋カセットマーキング装置２の動作を説明する図である。
【００６９】
図９は、包埋カセットの切出し動作を説明する図である。
【００７０】
図９おいて、  ・包埋カセット３０が一枚だけ引っ掛かる高さの切出しツメＡ、Ｂ（３７、３８）で、一番下の包埋カセット一枚のみを切り出す。
【００７１】
・切出しツメＢ（３８）は、モーターＡ（３５）によりラックピニオンで動かす。切出しツメＡ（３７）についても同様に動かす。
・包埋カセット収納ケースＡ（１９Ａ）及びスライドガラス１００枚収納ケースＢ（１９Ｂ）は、左右対称の構成、配置とされる。
包埋カセット３０は、２カ所（包埋カセット収納ケースＡ、Ｂの位置）にセットし、中央の切出しスロープ３３へ切り出す。これによって、包埋カセット収納ケースＡ（１９Ａ）及び包埋カセット収納ケースＢ（１９Ｂ）からの切り出し３９がなされる。なお、包埋カセット収納ケースは、一方のみの設置であってもよい。ここで、切り出しとは、一つ一つが分離可能包埋カセットで形成された、一体に集合された包埋カセット集合体から包埋カセットを一つずつ強制的に分離させることをいう。
【００７２】
図９は、包埋カセット３０の印字ステージ３２への滑り動作を説明する図である。
【００７３】
図９において、  ・切り出された包埋カセット３０が重力により傾き、切出しスロープ３３の上を滑り、印字ステージ３２に載る。
【００７４】
・包埋カセット３０が印字ステージ３２に乗った後、モーターＢ（３６）を駆動させ、印字ステージ３２を回動させ、傾ける。これによって、包埋カセット３０の位置合わせを行う。位置合わせは、包埋カセット３０の印字面３９が水平になるようになされる。包埋カセット３０の印字面３９が包埋カセットの傾斜面に設けられている場合には、その傾斜面が水平な位置になる位置に、そして包埋カセット３０の印字面３９が包埋カセットの直角面に設けられている場合には、その直角面が水平な位置になる位置に合わせられる。
【００７５】
図１１は、包埋カセット３０上への印字・排出動作を説明する図である。
【００７６】
図１１において、  ・包埋カセット３０の印字面角度の違いにより、モーターＢ（３６）の傾け度合いを調整し、印字を行う。包埋カセット３０には、傾斜面が４５度タイプのものと、直角のもののスクエアタイプの２種類がある。いずれのタイプにあっても、図に示されるように、印字面４０が水平面となうように調整し、また印字高さが基準面から同一になるように設定して、印字する。基準面から印字高さが同一とは、典型的には、底部９２（図１）からの高さであり、これはレーザー照射装置の照射口からの距離が同一であることを示す。基準面から印字高さが同一とすることで、レーザー光線の焦点合わせがなされて、同質のレーザー光線を印字面に照射することができる。
【００７７】
・印字ステージ３２が９０度傾いた状態でプッシュソレノイド３４Ａを駆動させ、ストッパー３８を解除し、排出穴３４Ａから排出する。
【００７８】
スライドガラス印字ステージ手段に載置されたスライドガラスに形成された印字面が包埋カセット３０の印字面と同一高さでレーザー光照射手段からのレーザー光を直角に受光するように配置される。
【００７９】
また、スライドガラスマーキング装置２は、収納状態で、マーキングスライドガラスを載置するスライドガラス印字ステージ手段を有し、マーキングスライドガラスが水平方向に形成された印字面を有し、スライドガラス印字ステージ手段が水平角度まで回転可能とされて形成されて、装置本体の空間部に収納可能とされ、スライドガラス印字ステージ手段に載置されたスライドガラスに形成された印字面がレーザー光照射手段からのレーザー光を受光するように配置される。  包埋カセットマーキング装置が、マーキング包埋カセットを載置するカセット印字ステージ手段を有し、マーキング包埋カセットが傾斜方向、もしくは傾斜方向及び水平方向から直角方向に角度を持った印字面を有し、マーキング包埋カセット印字ステージ手段が水平角度、更にマーキング包埋カセットのマーキング面形成角度まで回転可能とされて形成されて、レーザー本体の空間部に収納可能とされ、マーキング包埋カセット印字ステージ部に載置されたマーキング包埋カセットに形成された印字面がレーザー光照射手段からのレーザー光を直角に受光するように配置される。
【００８０】
マーキング装置１００が、スライドガラスマーキング装置２及びスライドガラスマーキング装置３のいずれかの収納状態で、
スライドガラスマーキング装置が、マーキングスライドガラスを載置するスライドガラス印字ステージ手段を有し、マーキングスライドガラスが水平方向に形成された印字面を有し、スライドガラス印字ステージ手段が、回転可能で、印字面が水平角度で設置され、スライドガラス印字ステージ手段に載置されたスライドガラスに形成された印字面がレーザー光照射手段からのレーザー光を直角に受光するように配置されること、
包埋カセットマーキング装置が、マーキング包埋カセットを載置するカセット印字ステージ手段を有し、マーキング包埋カセットが傾斜方向、もしくは傾斜方向及び水平方向から直角方向に、もしくは双方向の角度をそれぞれ持った印字面を有し、マーキング包埋カセット印字ステージ手段が、回転可能で、印字面が水平角度で設置され、マーキング包埋カセットス印字ステージ部に載置されたマーキング包埋カセットに形成された印字面がレーザー光照射手段からのレーザー光を直角に受光するように配置されること、
マーキングスライドガラスの印字面及び包埋カセット印地面が底部から同一の高さに設定され、双方の印字面に、レーザー光照射手段からのレーザー光が走査照射されマーキングが印字されることの特徴を持った構成とされる。
【００８１】
本例で採用可能なスライドガラスに言及すれば、次のようであることを記述した。
【００８２】
含有量で、三酸化ビスマス９８〜９９％、三酸化ネオジム０．３〜１．０％からなる酸化金属顔料粒子と、基礎ポリマーとしてのウレタンアクリレート樹脂とからなるウレタン塗料が、含有量で、酸化金属顔料粒子の添加量を、２０％以上、望ましくは２５〜３５％として塗布され、１wのレーザー光が照射されたときに、酸化金属顔料粒子がレーザー光を吸収し発熱し粒子周辺の樹脂がその熱により炭化変色することを特徴とするスライドガラスマーキング装置に使用されるマーキングスライドガラス。
【００８３】
図１３は、含有量で、三酸化ビスマス９８〜９９％、三酸化ネオジム０．３〜１．０％からなる酸化金属顔料粒子と、基礎ポリマーとしてのウレタンアクリレート樹脂とからなるウレタン塗料について、１wのレーザー光が照射されたときに、酸化金属顔料粒子がレーザー光を吸収し発熱し粒子周辺の樹脂がその熱により炭化変色するかどうかを調べた結果を示す図である。
【００８４】
図１３（ａ）は、含有量で、酸化金属顔料粒子の添加量を、２０％で、基礎ポリマーとしてのウレタンアクリレート樹脂に色彩を施さずに単色とした場合の結果を示し、図１３（ｂ）は、含有量で、酸化金属顔料粒子の添加量を、２０％で、基礎ポリマーとしてのウレタンアクリレート樹脂に着色顔料を加えてシエルピンクの色彩を施した場合の結果を示す。図１３（ｃ）は、含有量で、酸化金属顔料粒子の添加量を、３０％で、基礎ポリマーとしてのウレタンアクリレート樹脂に色彩を施さずに単色とした場合の結果を示す。
【００８５】
これらの結果によれば、含有量で、酸化金属顔料粒子の添加量２０％で、酸化金属顔料粒子がレーザー光を吸収し発熱し粒子周辺の樹脂がその熱により炭化変色し、データが印字されることが分かった。ただ、この例の場合、炭化変色がやや少ないことが読み取られ、酸化金属顔料粒子の添加量２５％以上にすることで、図１３（ｃ）の結果と併せると、十分に読み取れるデータが印字されることが推測できた。
【００８６】
図１３（ｃ）の結果によれば、含有量で、酸化金属顔料粒子の添加量３０％で、酸化金属顔料粒子がレーザー光を吸収し発熱し粒子周辺の樹脂がその熱により炭化変色すると同時にマーキング顔料自体が黒色に発色し、データが読み取り可能に十分に印字されることが分かった。樹脂の種類やガラス基材の形状にかかわらず、添加剤の添加で黒度が高く、精細鮮明な印字が可能である。
【００８７】
マーキング包埋カセットを構成する樹脂には十分な熱抵抗があるので、レーザー光を照射したときに樹脂は十分に熱せされ、炭化して変色する。一方、マーキングスライドガラスに、マーキング包埋カセット印字方法を応用すると、その性質上マーキングスライドガラス上に塗布される樹脂は、極めて薄いされるために照射されたレーザー光のエネルギーはガラス材に逃げ、樹脂は炭化されるまで熱せられない。このため、従来、マーキング包埋カセット印字方法をマーキングスライドガラス印字方法に応用することができなかった。
【００８８】
本実施例によれば、例えばマーキングガラス１０１の上に塗料が塗られてフォレスト部１０２が形成されることでーキングガラス１０１の上で、酸化金属顔料粒子がレーザー光を吸収し発熱し粒子周辺の樹脂がその熱により炭化変色すると同時にマーキング顔料自体が黒色に発色し、データが読み取り可能に十分に印字されることになり、レーザー光のエネルギーが少なくても上述した２つの作用によって印字が十分になされる。
【００８９】
また、図１３（ｃ）の結果によれば、本実施例の添加剤によれば、含有量で、酸化金属顔料粒子の添加量３０％とすることで、酸化金属顔料粒子がレーザー光を吸収し発熱し粒子周辺の樹脂がその熱により炭化変色し、同時にマーキング顔料自体が黒色に発色し、データが読み取り可能に十分に印字されることが分かった。添加量を、３０％以上に増加していくことは、解明度に変化がないもののコストが高くなる。６０％以上添加していくと、フロス部１０２の白色あるいはピンク色が濁った状態を示すので、これ以上の添加は望ましくない。このため、実用性の観点から含有量で、酸化金属顔料粒子の添加量４０％以内とすることが望ましく、３５％以下にすること、すなわち２５〜３５％の添加量とすることが推奨される。
【００９０】
以上のように、含有量で、三酸化ビスマス９８〜９９％、三酸化ネオジム０．３〜１．０％からなる酸化金属顔料粒子と、基礎ポリマーとしてのウレタンアクリレート樹脂とからなるウレタン塗料が、含有量で、酸化金属顔料粒子の添加量を、２０％以上、４０％以内で、望ましくは２５〜３５％として塗布され、１wのレーザー光が照射されたときに、酸化金属顔料粒子がレーザー光を吸収し発熱し粒子周辺の樹脂がその熱により炭化変色することを特徴とするスライドガラスマーキング装置に使用されるマーキングスライドガラスが提供される。
【００９１】
本例の場合、１wのレーザー光が照射された。照射されるレーザー光の強さは、１ｗ以上であってもよい。その強さは、包埋カセットマーキング装置に採用されるレーザー光に好んで用いられる強さに依存して決めればよい。例えば、レーザー光に強さは、５ｗ以内とされ、１〜５wが好んで採用される。
【符号の説明】
【００９２】
１…装置本体１、１Ａ，１Ｂ…上下部階層、２…スライドガラスマーキング装置、３…包埋カセットマーキング装置、１７，１８スライドガラスを収納する１００枚収納ケースＡ及びスライドガラスを収納する１００枚収納ケースＢ、１９…包埋カセット収納ケース、２１…スライドガラスマーキング装置本体、２２…印字ステージ、２３…切出しスロープ、２４…排出スロープ、２５，２６…モーターＡ、Ｂ、２７，２８…切出しツメＡ，Ｂ、３１…包埋カセットマーキング装置本体、３２…印字ステージ、３３…切出しスロープ、３４…プシュソレノイド３４Ａ，３４Ｂ…排出穴、３５，３６モーターＡ，Ｂ、３７…切出しツメ、９０…レーザー光照射手段、９１…空間部、９２…底部、１００…マーキングガラス及び包埋カセットにマーキングするマーキング装置（マーキング装置）、１０１…スライドガラスレーザーマーカー、１０２…包埋カセットレーザーマーカー。
【図１】
2018069581.tif 000003
【図２】
2018069581.tif 000004
【図３】
2018069581.tif 000005
【図４】
2018069581.tif 000006
【図５】
2018069581.tif 000007
【図６】
2018069581.tif 000008
【図７】
2018069581.tif 000009
【図８】
2018069581.tif 000010
【図９】
2018069581.tif 000011
【図１０】
2018069581.tif 000012
【図１１】
2018069581.tif 000013
【図１２】
2018069581.tif 000014
【図１３】
2018069581.tif 000015
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
装置本体が、レーザー光の光源、装置本体の上部階層が、箱体内に固定されたレーザー光照射手段を内蔵し、下部階層が、上方に開放された空間部を備え、その空間部に、マーキングスライドガラスを載置するスライドガラス印字ステージ手段を有するスライドガラスマーキング装置を収納したマーキング装置が用いられ、
マーキングスライドガラスが、矩形状のガラスの面上に任意形状の識別コード、模様あるいは文字を書き込む印字面と印字面以外の透明面とを有して形成され、
印字面に、レーザー光照射手段からのレーザー光を走査照射してマーキングガラスの印字面にマーキングするマーキングガラスへのマーキング方法であって、
含有量（重量％）で、三酸化ビスマス９８〜９９％、三酸化ネオジム０．３〜１．０％からなる酸化金属顔料粒子と、基礎ポリマーとしての樹脂とを有してなり、酸化金属顔料粒子の当該塗料に占める添加量が、含有量で、３０％以上（３０％含まず）、４０％以内の塗料をマーキングガラス上に、８〜２０μｍ塗布して印字面を形成し、
マーキングガラスの印字面をレーザー光照射手段からのレーザー光が直角に受光するように配置し、
マーキングガラス上に塗布した印字面にレーザー光照射を行って、酸化金属顔料粒子を黒化させ、マーキングガラス上で酸化金属顔料粒子周辺の樹脂が炭化変色するほどに酸化金属顔料粒子を十分に発熱させて、前記印字面に、酸化金属顔料粒子の黒色化した任意形状の識別コード、模様あるいは文字と、当該任意形状の識別コード、模様あるいは文字の周囲で前記樹脂を炭化変色させたことからなるマーキングを形成すること
を特徴とするマーキングガラスにマーキングするマーキングガラスへのマーキング方法。
【手続補正３】
【補正対象書類名】明細書
【補正対象項目名】０００１
【補正方法】変更
【補正の内容】
【０００１】
本発明は、マーキングガラスへのマーキング方法に関する。
【手続補正４】
【補正対象書類名】明細書
【補正対象項目名】００１７
【補正方法】変更
【補正の内容】
【００１７】
本発明は、添加剤による黒度を向上させるだけでなく、塗料を一部として形成する樹脂に加えられる加熱を利用して変色させることで双方の機能を統合させ、マーキングによる黒度をより一層向上させることを目的とする。
【手続補正５】
【補正対象書類名】明細書
【補正対象項目名】００１８
【補正方法】変更
【補正の内容】
【００１８】
本発明は、装置本体が、レーザー光の光源、装置本体の上部階層が、箱体内に固定されたレーザー光照射手段を内蔵し、下部階層が、上方に開放された空間部を備え、その空間部に、マーキングスライドガラスを載置するスライドガラス印字ステージ手段を有するスライドガラスマーキング装置を収納したマーキング装置が用いられ、
マーキングスライドガラスが、矩形状のガラスの面上に任意形状の識別コード、模様あるいは文字を書き込む印字面と印字面以外の透明面とを有して形成され、
印字面に、レーザー光照射手段からのレーザー光を走査照射してマーキングガラスの印字面にマーキングするマーキングガラスへのマーキング方法であって、
含有量（重量％）で、三酸化ビスマス９８〜９９％、三酸化ネオジム０．３〜１．０％からなる酸化金属顔料粒子と、基礎ポリマーとしての樹脂とを有してなり、酸化金属顔料粒子の当該塗料に占める添加量が、含有量で、３０％以上（３０％含まず）、４０％以内の塗料をマーキングガラス上に、８〜２０μｍ塗布して印字面を形成し、
マーキングガラスの印字面をレーザー光照射手段からのレーザー光が直角に受光するように配置し、
マーキングガラス上に塗布した印字面にレーザー光照射を行って、酸化金属顔料粒子を黒化させ、マーキングガラス上で酸化金属顔料粒子周辺の樹脂が炭化変色するほどに酸化金属顔料粒子を十分に発熱させて、前記印字面に、酸化金属顔料粒子の黒色化した任意形状の識別コード、模様あるいは文字と、当該任意形状の識別コード、模様あるいは文字の周囲で前記樹脂を炭化変色させたことからなるマーキングを形成すること
を特徴とするマーキングガラスにマーキングするマーキングガラスへのマーキング方法を提供する。
【手続補正６】
【補正対象書類名】明細書
【補正対象項目名】００２１
【補正方法】変更
【補正の内容】
【００２１】
本発明によれば、矩形状のガラスの面上で、当該塗料が塗付されることで形成された印字面に、酸化金属顔料粒子の黒色化した任意形状の識別コード、模様あるいは文字と、当該任意形状の識別コード、模様あるいは文字の周囲で前記樹脂が炭化変色したことからなるマーキングを有するマーキングスライドガラスが提供される。
また、本発明によれば、マーキングガラス上に塗布した印字面にレーザー光照射を行って、酸化金属顔料粒子を黒化させると共に、マーキングガラス上で酸化金属顔料粒子周辺の樹脂が炭化変色するほどに酸化金属顔料粒子を十分に発熱させ、前記印字面に、酸化金属顔料粒子の黒色化した任意形状の識別コード、模様あるいは文字と、当該任意形状の識別コード、模様あるいは文字の周囲で前記樹脂の炭化変色した部分とからなるマーキングを形成するマーキングガラスへのマーキング方法が提供される。これによって、添加剤による黒度を向上させるだけでなく、塗料を一部として形成する樹脂に炭化変色させることで双方の機能を統合させ、マーキングによる黒度をより一層向上させることができる。
【手続補正７】
【補正対象書類名】明細書
【補正対象項目名】００８２
【補正方法】変更
【補正の内容】
【００８２】
含有量（重量％）で、三酸化ビスマス９８〜９９％、三酸化ネオジム０．３〜１．０％からなる酸化金属顔料粒子と、基礎ポリマーとしてのウレタンアクリレート樹脂とからなるウレタン塗料が、含有量で、酸化金属顔料粒子の添加量を、２０％以上、望ましくは２５〜３５％として塗布され、１wのレーザー光が照射されたときに、酸化金属顔料粒子がレーザー光を吸収し発熱し粒子周辺の樹脂がその熱により炭化変色することを特徴とするスライドガラスマーキング装置に使用されるマーキングスライドガラス。